(57)【要約】【課題】  臨場感の有るコンテンツ再生を可能にできる再生装置を提供する。【解決手段】  連続して再生される複数のコンテンツのうちの第１のコンテンツの再生中に第２のコンテンツの先頭からの再生へ移行させる機能を有する再生装置１において、トラック１の再生中にトラック２の先頭からの再生が指示されたとき、トラック２の前に再生されるトラック１の最後から所定時間前の位置からコンテンツの再生を開始するよう制御するシステムコントローラ１９を備える。曲の切り替わりポイントを遡って確認することができるため、曲の前後のつながりが把握し易くなる。よって、臨場感の有るコンテンツ再生を実現できる。また、本発明は、チャプター又はタイトル単位でコンテンツが管理されているＤＶＤやトラック単位で管理されているＣＤ等に適用できる。【選択図】        図２
2006164403.tif 000002
【特許請求の範囲】
【請求項１】
複数のコンテンツのうちの第１のコンテンツの再生中に第２のコンテンツの先頭からの再生へ移行させる機能を有する再生装置において、
前記第１のコンテンツの再生中に前記第２のコンテンツの先頭からの再生が指示されたとき、前記第２のコンテンツの前に再生されるコンテンツの最後から所定時間前の位置からコンテンツの再生を開始するよう制御する制御部を備えることを特徴とする再生装置。
【請求項２】
前記コンテンツは、チャプター単位又はタイトル単位に管理されていることを特徴とする請求項１記載の再生装置。
【請求項３】
前記コンテンツは、トラック単位で管理されていることを特徴とする請求項１記載の再生装置。
【請求項４】
複数のコンテンツのうちの第１のコンテンツの再生中に第２のコンテンツの先頭からの再生へ移行できる再生方法において、
前記第１のコンテンツの再生中に前記第２のコンテンツの先頭からの再生が指示されたとき、前記第２のコンテンツの前に再生されるコンテンツの最後から所定時間前の位置からコンテンツの再生を開始するステップを含むことを特徴とする再生方法。
【発明の詳細な説明】
【技術分野】
【０００１】
本発明は、再生装置及び再生方法に関する。
【背景技術】
【０００２】
従来、ＣＤプレーヤやＭＤプレーヤなどの再生装置では、ディスクに収録されている複数の曲（トラック）の中から、操作部に設けられたトラックアップキー／トラックダウンキーを押下げることにより、再生するトラックを順次切り替えて選択することが可能なものが提案されている。このような再生装置において、トラックアップキーが押された場合、ディスク再生位置を現在再生中のトラックの次のトラックの先頭位置に移動し、また、トラックダウンキーが押された場合、現在再生中のトラックの再生時間に応じて、現在トラックの再生時間所定時間より小さい時には一つ前のトラックの先頭にディスク再生位置を移動し、現在のトラックの先頭にディスク再生位置を移動するようにしている。
【０００３】
このような従来技術として以下のようなものが提案されている。特許文献１記載の再生装置は、トラックダウンキーが押されたときに現在のトラックの先頭に再生位置を移動するか、一つ前のトラックの先頭に再生位置を移動するかを判断する基準時間を、通常再生時には第１の判断基準時間を設定し、連続トラックアップ操作、または、連続トラックダウン操作後のトラックダウンキーが押されたときには第２の判断基準時間を設定するようにしたものである。
【０００４】
【特許文献１】特開２００３−４５１６２号公報
【発明の開示】
【発明が解決しようとする課題】
【０００５】
オーディオにおいては、楽曲ごとの並び順やそのつながり自体が作品として重視されており、曲の切り替わり感が、それ自体に価値を持つものもある。特に、ユーザーが任意にプレイリストを作成する場合は、なおさらその編集が、ユーザー自身の作品となる。この価値は、ＤＪや音楽放送でよくみられるクロスフェードという効果が、パソコン上の音楽プレーヤの一機能として、標準的に実装されていることからも明白である。
【０００６】
しかしながら、従来の再生装置におけるトラックアップ動作では単に次の曲に移行するのみであるため、ユーザーは曲と曲との切り替わりポイントを確認することができない。このため、曲の前後のつながりを把握することができず、臨場感を得ることができないという問題がある。また、このような問題点は特許文献１記載の再生装置によっては解決することができない。
【０００７】
そこで、本発明はこれらの問題を解決するためになされたもので、臨場感の有るコンテンツ再生を実現できる再生装置及び再生方法を提供することを目的とする。
【課題を解決するための手段】
【０００８】
上記課題を解決するために、本発明は、複数のコンテンツのうちの第１のコンテンツの再生中に第２のコンテンツの先頭からの再生へ移行させる機能を有する再生装置において、前記第１のコンテンツの再生中に前記第２のコンテンツの先頭からの再生が指示されたとき、前記第２のコンテンツの前に再生されるコンテンツの最後から所定時間前の位置からコンテンツの再生を開始するよう制御する制御部を備える再生装置である。本発明によれば、第１のコンテンツの再生中に第２のコンテンツの先頭からの再生が指示された際、第２のコンテンツの前に再生されるコンテンツの最後から所定時間前の位置からコンテンツの再生を開始するので、コンテンツの切り替わりポイントを遡って確認することができるため、コンテンツの前後のつながりが把握し易くなる。よって、臨場感の有るコンテンツ再生を実現できる。
【０００９】
前記コンテンツはチャプター又はタイトル単位で管理されている。本発明によれば、例えばチャプター又はタイトル単位にコンテンツが管理されているＤＶＤにおいて、シーンの切り替わりポイントを遡って確認することができるので、シーンの前後のつながりが把握しやすくなる。
【００１０】
前記コンテンツはトラック単位で管理されている。本発明によれば、トラック単位で管理されているオーディオでは、つぎの曲とのつながり感を確認し、楽しむことができる。また、音源が「ライブ版」などの場合、曲間にブランクが存在しないので、より自然につぎの曲への切り替わりを聴くことができることのほかに、曲間のＭＣなども自然に確認できる。
【００１１】
本発明は、複数のコンテンツのうちの第１のコンテンツの再生中に第２のコンテンツの先頭からの再生へ移行できる再生方法において、前記第１のコンテンツの再生中に前記第２のコンテンツの先頭からの再生が指示されたとき、前記第２のコンテンツの前に再生されるコンテンツの最後から所定時間前の位置からコンテンツの再生を開始するステップを含む再生方法である。本発明によれば、第１のコンテンツの再生中に第２のコンテンツの先頭からの再生が指示された際、第２のコンテンツの前に再生されるコンテンツの最後から所定時間前の位置からコンテンツの再生を開始するので、切り替わりポイントを遡って確認することができる。これにより、コンテンツの前後のつながりが把握し易くなる。よって、臨場感の有るコンテンツ再生を実現できる。
【発明の効果】
【００１２】
本発明によれば、臨場感の有るコンテンツ再生を実現できる再生装置及び再生方法を提供できる。
【発明を実施するための最良の形態】
【００１３】
以下、本発明を実施するための最良の形態について説明する。
【００１４】
図１は、本発明のディスク再生装置の構成を示す図である。図１に示すように、ディスク再生装置１は、ターンテーブル２、スピンドルモータ３、スピンドルサーボ回路４、光ピックアップ５、スレッドモータ６、スレッドサーボ回路７、ＲＦアンプ８、ディジタル信号処理回路９、フォーカスサーボ回路１０、サーボドライバ１１、トラッキングサーボ回路１２、サーボドライバ１３、検波回路１４、Ａ／Ｄ変換回路１５、サーボコントローラ１６、ディスク挿入検知器１７、ローディング部１８、システムコントローラ１９、ＲＡＭ（Random Access Memory）２０、操作部２１及びＤ／Ａ変換回路２２を備える。符号２３はコンパクトディスク（ＣＤ：以下「ディスク」）を示す。このディスク２３はコンテンツである曲がトラック単位で管理されている。
【００１５】
ディスク再生装置１は、複数のコンテンツのうちの第１のコンテンツの再生中に第２のコンテンツの先頭からの再生へ移行させる機能（スキップ機能）を有するものである。
【００１６】
スピンドルモータ３は、ディスク２３を一定の線速度で回転させる。スピンドルサーボ回路４は、スピンドルモータ３に対し線速度一定制御を行う。光ピックアップ５は、ディスク２３にレーザビームを発射し反射ビームを検出し、ＲＦ信号を再生する。スレッドモータ６は、光ピックアップ５をディスク半径方向に送る。スレッドサーボ回路７は、スレッドモータ６に対しトラックを追跡するためのスレッドサーボをかける。ＲＦアンプ８は、光ピックアップ５からのＲＦ信号を増幅する。ディジタル信号処理回路９は、ＲＦ信号を入力して音楽データとサブコードデータの復調を行う。
【００１７】
フォーカスサーボ回路１０は、フォーカスエラー信号を作成し、フォーカスエラー信号に基づき光ピックアップ５に設けたフォーカスアクチュエータ（図示せず）を駆動しフォーカスサーボを掛ける。サーボドライバ１１は、フォーカスエラー信号を増幅してフォーカスアクチュエータを駆動する。トラッキングサーボ回路１２は、トラッキングエラー信号を作成し、トラッキングエラー信号に基づき光ピックアップ５に設けたトラッキングアクチュエータ（図示せず）を駆動してトラッキングサーボを掛ける。サーボドライバ１３は、トラッキングアクチュエータを駆動する。検波回路１４は、ＲＦ信号の下側エンベロープ検波を行う。
【００１８】
サーボコントローラ１６は、システムコントローラ１９の指令を受けて、各種サーボの立ち上げとピックアップサーボ系の自動調整等を行う。ディスク挿入検知器１７は、ディスク２３の挿入を検出する。ローディング部１８は、システムコントローラ１９の制御に従いディスク２３をターンテーブル２の上にローディングし、また、ターンテーブル２からアンローディングする。
【００１９】
ＲＡＭ２０は、ＴＯＣ（Ｔａｂｌｅ ｏｆ Ｃｏｎｔｅｎｔｓ）情報等を記憶する。ここで、ＴＯＣ情報とは、ディスクの目次に相当するものであり、その内容としては、そのディスクの最初の曲と最後の曲のトラック番号と、そのディスクに入っている各曲の開始時間を示すタイムコードと、最後の曲の終了時間を示すタイムコードとが記録されている。
【００２０】
操作部２１は各種操作を行うものである。この操作部２１には、トラックアップキー、トラックダウンキーが設けられており、利用者はトラックアップキー、トラックダウンキーを押下ることにより、ディスク２３に記録されている複数のトラックを順次切り替えて再生トラックを選択することができる。
【００２１】
システムコントローラ１９は、ディスク２３を再生するために必要なシステム全体的な制御を行う。システムコントローラ１９は、電源投入時やディスクローディング後にＴＯＣ情報を読み込み、曲の再生中にはサブコードを読み込み、読み込んだ各情報に基づいてサーボコントローラ１６に指示を与える。ここで、サブコードとは、曲の頭出し機能や、予め設定された順序に従って曲を再生するプログラム機能等を実行する場合に利用されるコードである。このサブコードには曲のトラック番号、曲の演奏時間を示すタイムコードおよび各曲の演奏時間の累計を示すタイムコード等が記録されている。また、システムコントローラ１９は、トラックＴ１（第１のコンテンツ）の再生中にトラックＴ２（第２のコンテンツ）の先頭からの再生が指示されたとき、トラックＴ２の前に再生されるトラックＴ１（コンテンツ）の最後から所定時間前の位置からコンテンツの再生を開始するよう制御する。
【００２２】
サーボコントローラ１６は、スピンドルサーボ回路４、光ピックアップ５、スレッドサーボ回路７、フォーカスサーボ回路１０、トラッキングサーボ回路１２等を制御して指示されたトラックの再生を行う。
【００２３】
図２（ａ）は従来の再生開始位置を説明するための図、（ｂ）は本発明による再生開始位置を説明するための図である。同図（ａ）に示すように、従来、トラックアップキーが押された場合、ディスク再生位置を現在再生中のトラックＴ１の次のトラックＴ２の先頭位置Ａに移動するようにしている。
【００２４】
例えば、トラックＴ１とトラックＴ２の再生時間がそれぞれ３分４０秒、１分２０秒であった場合、トラックＴ１の曲の再生中にトラックアップキーが押された場合、トラックＴ２の０秒から再生が開始する。このため、トラックＴ１の曲とトラックＴ２の曲との切り替わりポイントを確認することができないため、曲の前後のつながりを把握することができず、臨場感を得ることができなかった。
【００２５】
本発明の再生装置１では、トラックＴ１からトラックＴ２の先頭からの再生を指示した場合、トラックＴ２の前に再生されるトラックＴ１の最後から所定時間前の位置Ａ’から曲の再生を開始するようディスク再生位置を移動する。例えば、トラックＴ１の曲の再生中にトラックアップキーが押された場合、トラックＴ２の０秒から再生を開始するのではなく、トラックＴ１の最後から所定の時間（例えば５秒）前の３分３５秒の位置から再生を開始する。これにより、トラックＴ１の曲と次のトラックＴ２の曲とのつながり感を確認し、楽しむことができる。また、音源がライブ版などの場合、曲間にブランクが存在しないので、より自然につぎの曲への切り替わりを聴くことができることのほかに、曲間のＭＣなども自然に確認できる。
【００２６】
次に、本発明のディスク再生装置１の動作について説明する。図３は、第１実施形態による再生装置１の動作フローチャートである。ここでは、ディスク２３に記録されている複数のトラックのうち、あるトラックを再生しているものとする。ステップＳ１で、ディスクの再生中、システムコントローラ１９は、操作部２１に設けられたトラックアップキーが押されたか否かを判断し、トラックアップキーが押された場合、システムコントローラ１９は、ステップＳ２で、サブコードをサーチしてトラックＴ２の前のトラックＴ１の最後から所定時間前の位置Ａ’を検出し、サーボコントローラ１６等を制御して再生するトラックＴ２の前のトラックＴ１の最後の所定時間前の位置Ａ’へ再生位置を移動する。
【００２７】
ステップＳ２で、トラックアップキーが押されない場合、システムコントローラ１９は、ステップＳ３で、操作部２１に設けられたトラックダウンキーが押されたか否かを判断し、トラックダウンキーが押されていない場合には、トラックアップキーまたはトラックダウンキーが押されるのを待機する。
【００２８】
ディスクの再生中、トラックダウンキーが押された場合、ステップＳ２で、システムコントローラ１９は、サブコードをサーチして現在再生中のトラックの前のトラックの最後から所定時間前の位置を検出し、サーボコントローラ等を制御して前のトラックの最後から所定時間前へ再生位置を移動する。その後、トラックアップキーまたはトラックダウンキーが押されるのを待機する。
【００２９】
本発明の第１本実施形態によれば、第１のトラックの再生中に第２のトラックの先頭からの再生が指示されたとき、第２のトラックの前に再生されるトラックの最後から所定時間前の位置から再生を開始するので、曲の切り替わりポイントを遡って確認することができるため、曲の前後のつながりが把握し易くなる。よって、前曲の盛り上がりを視聴することで臨場感の有る曲の再生が実現できる。
【００３０】
［第２実施形態］次に第２実施形態について説明する。図４は、本発明の第２実施形態によるＤＶＤビデオ再生装置のブロック図である。ＤＶＤビデオ再生装置２００は、スピンドルモータ２０２、光学ピックアップ２０３、ＲＦアンプ２０４、ＤＶＤデータプロセッサ２０５、ＭＰＥＧビデオデコータ２０６、Ｄ／Ａ変換器２０７、オーディオデコーダ２０８、Ｄ／Ａ変換器２０９、システムコントローラ２１０、モータドライバ２１１及び操作部２１２を備える。符号２０１はＤＶＤを示す。このＤＶＤ２０１はチャプター単位又はタイトル単位に管理され、コンテンツであるシーンが格納されている。
【００３１】
ＤＶＤビデオ再生装置２００は、複数のコンテンツのうちの第１のコンテンツの再生中に第２のコンテンツの先頭からの再生へ移行させる機能を有するものである。
【００３２】
光学ピックアップ２０３は、対物レンズを通して所定位置に焦点を結ぶ半導体レーザ光を照射し、ディスクから反射してくるレーザ光を再び対物レンズを通してフォトダイオードで受光し、ＤＶＤ２０１に記録されたＲＦ信号を再生する。ＲＦアンプ２０４は、ＲＦ信号を増幅して出力する。ＤＶＤデータプロセッサ２０５は、ＭＰＥＧデータ等を復調するとともに、誤り訂正処理、ＭＰＥＧビデオデータとオーディオデータとの分離処理、及びＴＯＣ情報等の各種管理情報、アドレス情報の抽出処理等のディジタル信号処理を行う。
【００３３】
ＭＰＥＧビデオデコータ２０６は、ＤＶＤデータプロセッサ２０５で分離されたＭＰＥＧビデオデータに基づいてＭＰＥＧ２の画像データを復号化する。Ｄ／Ａ変換器２０７は、復号化された映像データを輝度信号Ｙおよび色差信号Ｃｂ、Ｃｒを生成し映像信号として出力する。オーディオデコーダ２０８は、ＤＶＤデータプロセッサ２０５で分離されたＭＰＥＧ等のオーディオデータに基づいて音楽データを復号化する。Ｄ／Ａ変換器２０９は、復号化された音楽データをアナログの音楽信号に変換する。
【００３４】
操作部２１２は、チャプターアップキー及びチャプターダウンキーが設けられており、利用者はチャプターアップキー、チャプターダウンキーを押下ることにより、ＤＶＤ２０１に記録されている複数のチャプターを順次切り替えて再生チャプターを選択する。システムコントローラ２１０は、電源投入時やディスクローディング後にＴＯＣ情報を読み込み、曲の再生中にはサブコードを読み込み、読み込んだ各情報に基づいて各部に指示を与える。
【００３５】
図５は、ＤＶＤビデオデータを説明するための図であり、（ａ）はタイトルによって分割する例を示す図、（ｂ）はチャプターによって分割する例を示す図である。第１実施形態で説明したＣＤの場合は、１曲を１トラックとして決められているのに対して、ＤＶＤビデオでは１曲を１タイトルと１チャプターのどちらにするかはディスク制作者の自由となっている。
【００３６】
このため、ＤＶＤにおいては、その中に映像やオーディオを収録する際、図５（ａ）に示すようにタイトルによって分割するか、あるいは同図（ｂ）に示すようにチャプターによって分割するかは自由に決めることができる。従って、ＤＶＤでは、その物語のシーンが「チャプター」又は「タイトル」によって分割されている。一つのシーンが終わり、次のシーンが始まる部分に、分割のポイントが存在する。
【００３７】
なお、システムコントローラ２１０は、現在再生しようとしているＤＶＤがいずれの方法で記録しているのかを判別し、以降の再生指示の基準データとする。ＤＶＤにおいては、タイトルによって分割する際は９９個まで分割することができ、チャプターによって分割するときは９９９個に分割することができるので、記録するデータ内容によってこれらが使い分けられている。また、図５に示す例では、複数のタイトルをタイトル群として管理し、複数のチャプターをチャプター群として管理している。
【００３８】
図６（ａ）は従来の再生開始位置を説明するための図、（ｂ）は本発明による再生開始位置を説明するための図である。同図（ａ）に示すように、チャプターアップキーが押された場合、ディスク再生位置を現在再生中のチャプターＣ１の次のチャプターＣ２の先頭位置Ｂに移動するようにしている。例えば、チャプターＣ１とチャプターＣ２の再生時間がそれぞれ３分４０秒、１分２０秒であった場合、チャプターＣ１のシーンの再生中にチャプターアップキーが押された場合、チャプターＣ２の０秒の位置Ｂから再生が開始する。
【００３９】
このように、スキップ動作を使用して、任意のシーンを探したり、飽きて早送りする場合、面白いシーンを「探して」単に次のシーンの先頭に飛ぶだけでは、前のチャプターのエンディングが確認できないため、前後のつながりが把握できず、任意のシーンが探しづらい場合がある。また、シーンとシーンとの切り替わりポイントを確認することができないと、シーンの前後のつながりを把握することができないため、臨場感を得ることができないという問題がある。
【００４０】
本発明のＤＶＤビデオ再生装置２００は、チャプターＣ１の再生中にチャプターＣ２の先頭からの再生が指示された場合、チャプターＣ２の前に再生されるチャプターＣ１の最後から所定時間前の位置Ｂ’から再生を開始するようディスク再生位置を移動する。例えば、チャプターＣ１のシーンの再生中にチャプターアップキーが押された場合、チャプターＣ２の０秒の位置Ｂから再生を開始するのではなく、チャプターＣ１の最後から所定の時間（例えば５秒）前の３分３５秒の位置Ｂ’から再生を開始する。これにより、シーンの切り替わりポイントをその数十秒前（任意）から遡って確認することができるので、シーンとシーンの前後のつながりが把握しやすくなり、任意のシーンを探すことが容易となる。前のシーンと次のシーンのつながり感を確認し、楽しむことができる。
【００４１】
次に、本発明のＤＶＤビデオ再生装置２００の動作について説明する。ここでは、ＤＶＤ２０１に記録されている複数のチャプターのうち、あるチャプターを再生しているものとする。ＤＶＤ２０１の再生中、システムコントローラ２１０は、操作部２１２に設けられたチャプターアップキーが押されたか否かを判断し、チャプターアップキーが押された場合、システムコントローラ２１０は、サブコードをサーチして次のチャプターの前のチャプターの最後から所定時間前の位置を検出し、各部を制御して次のチャプターの前のチャプターの最後から所定時間前へ再生位置を移動する。
【００４２】
チャプターアップキーが押されない場合、システムコントローラ２１０は、操作部２１２に設けられたチャプターダウンキーが押されたか否かを判断し、チャプターダウンキーが押されない場合には、チャプターアップキーまたはチャプターダウンキーが押されるのを待機する。ＤＶＤ２０１の再生中、システムコントローラ２１０は、操作部２１２に設けられたチャプターダウンキーが押されたか否かを判断し、チャプターダウンキーが押された場合、システムコントローラ２１０は、サブコードをサーチして現在再生中のチャプターの前のチャプターの最後から所定時間前の位置を検出し、各部を制御して前のチャプターの最後から所定時間前へ再生位置を移動する。その後、チャプターアップキーまたはチャプターダウンキーが押されるのを待機する。
【００４３】
以上のように、第１のチャプターの再生中に第２のチャプターの先頭からの再生が指示されたとき、第２のチャプターの前に再生されるチャプターの最後から所定時間前の位置から再生を開始するので、シーンの切り替わりポイントを遡って確認することができるため、シーンの前後のつながりが把握し易くなる。よって、前のシーンの盛り上がりを視聴することで臨場感の有るシーンの再生を実現できる。
【００４４】
なお、上記では再生装置の例としてＣＤとＤＶＤを再生する再生装置を例にとって説明したが、本発明の再生装置は、ハードディスク装置内の曲やシーンを再生する場合にも適用できる。この場合、再生装置は、ＣＰＵ（Central Processing Unit）、ＲＯＭ（Read Only Memory）、ＲＡＭを用いて構成され、ＣＰＵが所定のプログラムを実行することで、本発明の再生装置及び再生方法が実現される。ハードディスク装置を用いる場合には、曲やシーンはファイル単位で管理される。また、本発明はカセットテープ内の曲を再生する場合にも本発明を適用することができる。また、本発明による機能はユーザー任意のＯＮ／ＯＦＦの操作が可能になる。また、遡る時間は、ユーザーの任意とする。また、本発明による機能は、通常再生時はもちろんミックス再生時にも動作可能である。
【００４５】
以上、本発明の好ましい実施形態について詳述したが、本発明は係る特定の実施例に限定されるものではなく、特許請求の範囲に記載された本発明の要旨の範囲内において、種々の変形・変更が可能である。
【図面の簡単な説明】
【００４６】
【図１】本発明のディスク再生装置の構成を示す図である。
【図２】（ａ）は従来の再生開始位置を説明するための図、（ｂ）は本発明による再生開始位置を説明するための図である。
【図３】本発明の第１実施形態によるディスク再生装置の動作フローチャートである。
【図４】本発明の第２実施形態によるＤＶＤビデオ再生装置のブロック図である。
【図５】ＤＶＤビデオデータを説明するための図であり、（ａ）はタイトルによって分割する例を示す図、（ｂ）はチャプターによって分割する例を示す図である。
【図６】（ａ）は従来の再生開始位置を説明するための図、（ｂ）は本発明による再生開始位置を説明するための図である。
【符号の説明】
【００４７】
１  ディスク再生装置
１９、２１０  システムコントローラ
２１、２１２  操作部
２００  ＤＶＤビデオ再生装置
【図１】
2006164403.tif 000003
【図２】
2006164403.tif 000004
【図３】
2006164403.tif 000005
【図４】
2006164403.tif 000006
【図５】
2006164403.tif 000007
【図６】
2006164403.tif 000008